(57)【要約】      （修正有） 【課題】床暖房に際してのイニシャルコストを大幅に削減できる蓄熱式床暖房システムを提供する。【解決手段】  この蓄熱式床暖房システムは、床暖房にのみ使用する熱媒を深夜電力のみを利用して加熱するヒートポンプ１と、床下空間に設置されて熱媒を貯留する蓄熱槽２と、熱媒によって床を暖める床暖房器３と、ヒートポンプ１によって加熱した高温熱媒を蓄熱槽２内に導くとともに、蓄熱槽２内の低温熱媒をヒートポンプ１に導く蓄熱用熱媒回路４と、蓄熱槽２内の高温熱媒を床暖房器３に導くとともに、床暖房器３からの低温熱媒を蓄熱槽２内に導く暖房用熱媒回路５とからなる。【選択図】  図１
2005055130.tif 000002
【特許請求の範囲】
【請求項１】
床暖房にのみ使用する熱媒を深夜電力のみを利用して加熱するヒートポンプと、床下空間に設置されて前記熱媒を貯留する蓄熱槽と、前記熱媒によって床を暖める床暖房器と、前記ヒートポンプによって加熱した高温熱媒を前記蓄熱槽内に導くとともに、前記蓄熱槽内の低温熱媒を前記ヒートポンプに導く蓄熱用熱媒回路と、前記蓄熱槽内の高温熱媒を前記床暖房器に導くとともに、前記床暖房器からの低温熱媒を前記蓄熱槽内に導く暖房用熱媒回路とからなることを特徴とする蓄熱式床暖房システム。
【請求項２】
前記蓄熱用熱媒回路における前記熱媒の流動中に、前記暖房用熱媒回路における前記熱媒の流動を可能にした請求項１記載の蓄熱式床暖房システム。
【請求項３】
前記蓄熱槽を、前記床下空間を暖める放熱器として用いるようにした請求項１又は２記載の蓄熱式床暖房システム。
【請求項４】
前記蓄熱槽を、土間コンクリートに敷設した断熱材上に設置するとともに、放熱量を調整するための断熱シートで覆うようにした請求項３記載の蓄熱式床暖房システム。
【請求項５】
前記蓄熱槽は、複数の熱媒貯留タンクを熱媒流通用パイプを介して互いに直列に連結してなる請求項１乃至４のいずれかに記載の蓄熱式床暖房システム。
【請求項６】
前記蓄熱用熱媒回路は、前記ヒートポンプによって加熱した高温熱媒を一端側の熱媒貯留タンク内に導くとともに、他端側の熱媒貯留タンク内の低温熱媒を前記ヒートポンプへ導き、前記暖房用熱媒回路は、前記一端側の熱媒貯留タンク内の高温熱媒を前記床暖房器に導くとともに、前記床暖房器からの低温熱媒を前記他端側の熱媒貯留タンク内に導くようにした請求項５記載の蓄熱式床暖房システム。
【請求項７】
各熱媒貯留タンクの上下位置に熱媒流通口をそれぞれ形成して、隣り合う熱媒貯留タンクにおける上側の熱媒流通口と下側の熱媒流通口とを熱媒流通用パイプを介して連結するようにした請求項６記載の蓄熱式床暖房システム。
【発明の詳細な説明】
【技術分野】
【０００１】
この発明は、ヒートポンプを用いた蓄熱式床暖房システムに関する。
【背景技術】
【０００２】
床暖房は、室内全体をほぼ均一に暖めることができ、空調機器によって直接室内を暖房するときのような不快なドラフトが発生せず、また燃焼系の暖房機器によって直接室内を暖房するときのような室内の空気汚染もなくすことができることから、快適な暖房として知られている。
【０００３】
近年では、例えば特許文献１及び２にも開示されているように、安価な深夜電力を利用してヒートポンプによって水を加熱して、この温水を蓄熱槽に貯留しておき、床暖房に使用するといったランニングコストを低く抑えたシステムが提案されている。
【０００４】
【特許文献１】特開２００３−５００５０号公報
【特許文献２】特開２００３−５００３５号公報
【発明の開示】
【発明が解決しようとする課題】
【０００５】
しかしながら、従来のヒートポンプを用いたシステムでは、蓄熱槽に貯留した温水を、床暖房のためだけに使用するのではなく、例えば給湯用としても使用したり、或いは室内空気と熱交換させる室内暖房用としても使用しているので、上記のように深夜電力を利用して蓄熱した熱量だけでは、床暖房に使用する熱量をすべてまかなうことは困難であり、昼間でもヒートポンプを作動させて熱媒となる水を加熱して、所定の熱量を確保する必要があった。従って、安価な深夜電力を利用してはいるものの、依然として高価な昼間電力を利用してヒートポンプを作動させるので、床暖房にかかるランニングコストを格段に低減するまでには至っていない。
【０００６】
また、蓄熱槽に貯留した温水を、給湯用や室内暖房用に使用する場合には、温水の熱が逃げないように、蓄熱槽に厳重な断熱処理を施す必要があり、このため設備コストの低減にも支障をきたしていた。
【０００７】
この発明は、上記の不具合を解消して、床暖房に際してのイニシャルコストを大幅に削減でき、しかも設備コストの低減も図ることができ、また暖房効率も良好な蓄熱式床暖房システムの提供を目的とする。
【課題を解決するための手段】
【０００８】
上記の課題を解決するため、この発明の蓄熱式床暖房システムは、床暖房にのみ使用する熱媒を深夜電力のみを利用して加熱するヒートポンプと、床下空間に設置されて前記熱媒を貯留する蓄熱槽と、前記熱媒によって床を暖める床暖房器と、前記ヒートポンプによって加熱した高温熱媒を前記蓄熱槽内に導くとともに、前記蓄熱槽内の低温熱媒を前記ヒートポンプに導く蓄熱用熱媒回路と、前記蓄熱槽内の高温熱媒を前記床暖房器に導くとともに、前記床暖房器からの低温熱媒を前記蓄熱槽内に導く暖房用熱媒回路とからなる。
【０００９】
そして、前記蓄熱用熱媒回路における前記熱媒の流動中に、前記暖房用熱媒回路における前記熱媒の流動を可能にしている。
【００１０】
また、前記蓄熱槽を、前記床下空間を暖める放熱器として用いるようにしている。この場合、前記蓄熱槽を、土間コンクリートに敷設した断熱材上に設置するとともに、放熱量を調整するための断熱シートで覆うようにしている。
【００１１】
さらに、前記蓄熱槽は、複数の熱媒貯留タンクを熱媒流通用パイプを介して互いに直列に連結してなる。この場合、前記蓄熱用熱媒回路は、前記ヒートポンプによって加熱した高温熱媒を一端側の熱媒貯留タンク内に導くとともに、他端側の熱媒貯留タンク内の低温熱媒を前記ヒートポンプへ導き、前記暖房用熱媒回路は、前記一端側の熱媒貯留タンク内の高温熱媒を前記床暖房器に導くとともに、前記床暖房器からの低温熱媒を前記他端側の熱媒貯留タンク内に導くようにしている。
【００１２】
また、各熱媒貯留タンクの上下位置に熱媒流通口をそれぞれ形成して、隣り合う熱媒貯留タンクにおける上側の熱媒流通口と下側の熱媒流通口とを熱媒流通用パイプを介して連結するようにしている。
【発明の効果】
【００１３】
この発明の蓄熱式床暖房システムでは、安価な深夜電力のみを利用してヒートポンプによって熱媒を加熱し、この高温熱媒を床下空間に設置した蓄熱槽に貯留しておいて、床暖房にのみ使用しているので、床暖房に際してのイニシャルコストを大幅に削減することができる。しかも、蓄熱槽を床下空間に設置しているので、蓄熱槽が邪魔にならず、また蓄熱槽から熱が多少逃げても、この熱は床下空間を暖めて床暖房に寄与することになるので、厳重な断熱処理を施さずに済み、設備コストの低減も図ることができる。
【００１４】
また、蓄熱用熱媒回路において熱媒を流動させて蓄熱しているときにでも、暖房用熱媒回路において熱媒を流動させて床暖房を可能にすることで、使用性の向上を図ることができる。
【００１５】
さらに、蓄熱槽を放熱器として機能させることで、夜間の蓄熱時においても床下空間を適度に暖めて、室内の冷え込みを防ぐことができ、快適性を向上することができる。しかも、蓄熱槽を、土間コンクリートに敷設した断熱材上に設置することで、蓄熱槽からの熱が土間コンクリートを伝って外部へ逃げるのを防止することができ、放熱による床下空間の暖房効率を向上することができる。さらにまた、蓄熱材を断熱シートで覆って放熱量を調整すれば、床下空間における温度を調節することができる。
【００１６】
また、複数の熱媒貯留タンクを熱媒流通用パイプを介して直列に連結して、所定の容量の蓄熱槽を構成することで、床下空間への設置に際して、蓄熱槽を収容するためのピット等を形成するといったような特別な工事を必要とせず、熱媒貯留タンクを並べて連結するだけで、蓄熱槽を床下空間に簡単に施工することができる。しかも、床下空間の形状や状況に合わせた自由な配置が可能となり、熱媒貯留タンクの連結個数を変えることで、蓄熱槽の容量も簡単に変更することができ、プラン変更やリフォーム等においても柔軟に対応することができる。
【００１７】
さらに、蓄熱時において、ヒートポンプによって加熱した最も高温の熱媒を一端側の熱媒貯留タンク内に順次導いて、他端側の熱媒貯留タンク内の最も低温の熱媒をヒートポンプへ順次導くことで、ヒートポンプにおける熱交換効率を良好に確保することができる。また、床暖房時において、一端側の熱媒貯留タンク内の高温の熱媒から順に床暖房に使用し、床暖房に使用した後の低温の熱媒を他端側の熱媒貯留タンクに戻すことで、高温の熱媒と低温の熱媒の混じり合いをなくして、高温の熱媒を常に床暖房に使用することができ、床暖房効率を高めることができる。
【発明を実施するための最良の形態】
【００１８】
以下、この発明の実施形態を図面に基づいて詳細に説明する。この発明の一実施形態に係る蓄熱式床暖房システムは、図１に示すように、床暖房にのみ使用する熱媒を加熱するヒートポンプ(１)と、熱媒を貯留する蓄熱槽(２)と、熱媒によって床を暖める床暖房器(３)と、蓄熱用熱媒回路(４)と、暖房用熱媒回路(５)とからなる。なお、熱媒としては、水が用いられているが、ポリエチレングリコール等のその他の熱媒を用いるようにしても良い。
【００１９】
ヒートポンプ(１)としては、例えばＨＦＣ等を冷媒とした廉価な汎用ヒートポンプが用いられている。このヒートポンプ(１)においては、コンプレッサにより圧縮した冷媒を、凝縮器、蒸発器の順に循環させて、蒸発時に外気から採熱し、凝縮時に放熱して熱媒を加熱するようになっている。
【００２０】
このヒートポンプ(１)は、図示しないコントローラによって、午後１１時から翌朝午前７時までの間でのみ作動するように制御されている。すなわち、深夜電力のみを利用して作動するようになっている。
【００２１】
なお、ヒートポンプ(１)に室内機を接続して、室内の冷房用にも兼用しても良い。また、このような汎用ヒートポンプを使用する代わりに、より熱効率の高いＣＯ2ヒートポンプ等を用いるようにしても良い。
【００２２】
蓄熱槽(２)は、図１及び図２に示すように、床材(10)と土間コンクリート(11)との間の床下空間(12)に並設した複数の熱媒貯留タンク(15)(15)…を、熱媒流通用パイプ(16)(16)…を介して互いに直列に連結してなる。なお、図２において、(16)は大引、(17)は根太である。
【００２３】
各熱媒貯留タンク(15)は、図３に示すように、樹脂製或いは金属製で、例えば略直方体状に形成されていて、その長さ(Ｌ)が約８００ｍｍ、幅(Ｗ)が約２５０ｍｍ、高さ(Ｈ)が約３００ｍｍで、その内部に約６０リットルの熱媒を貯留できるようになっている。
【００２４】
なお、熱媒貯留タンク(15)の大きさは、これに限定されるものではなく、少なくとも床材(10)と土間コンクリート(11)との間の床下空間(12)に設置可能な大きさであれば良い。蓄熱槽(２)全体の容量としては、暖める床面の面積やヒートポンプ(１)の種類等によって適宜設定すれば良い。例えば汎用ヒートポンプを使用する場合には、１０００リットル〜１２００リットルの熱媒を貯留することができる容量を確保するのが望ましく、またＣＯ2ヒートポンプを使用する場合には、５００リットル〜６００リットルの熱媒を貯留することができる容量を確保するのが望ましい。
【００２５】
この熱媒貯留タンク(15)には、その内部を上側貯留空間(20)と下側貯留空間(21)とに仕切る仕切板(22)が設けられている。そして、この仕切板(22)と熱媒貯留タンク(15)の短手方向に沿った一方の側面(23)との間には、熱媒の流れを許容する隙間(24)が形成されている。
【００２６】
また、熱媒貯留タンク(15)の長手方向に沿った一方の側面(18)における一端部側の上部位置には、上側貯留空間(20)に対して熱媒を流入流出する上側熱媒流通口(25)が形成され、長手方向に沿った他方の側面(18)における一端部側の下部位置には、下側貯留空間(21)に対して熱媒を流入流出する下側熱媒流通口(26)が形成されている。すなわち、熱媒貯留タンク(15)の隙間(24)とは反対側の端部に、仕切板(22)を挟むようにして上下の熱媒流通口(25)(26)が形成されている。
【００２７】
さらに、互いに連結した熱媒貯留タンク(15)(15)…のうち、一端側(図１において右側)に位置する熱媒貯留タンク(15)には、図４(ａ)に示すように、上側熱媒流通口(25)(25)が２個ずつ形成され、他端側(図１において左側)に位置する熱媒貯留タンク(15)には、図４(ｂ)に示すように、下側熱媒流通口(26)(26)が２個ずつ形成されている。
【００２８】
そして、隣り合う熱媒貯留タンク(15)(15)における上側熱媒流通口(25)と下側熱媒流通口(26)が、熱媒流通用パイプ(11)を介して連結されている。
【００２９】
なお、熱媒貯留タンク(15)としては、図５に示すように、仕切板(22)を設けていないタイプを使用しても良い。この場合、上側熱媒流通口(25)を一方の側面(18)の一端部側に形成し、下側熱媒流通口(26)を他方の側面(18)の他端部側に形成して、上下の熱媒流通口(25)(26)をできるだけ離間させるようにしている。この場合においても、一端側に位置する熱媒貯留タンク(15)には、図６(ａ)に示すように、上側熱媒流通口(25)(25)が２個ずつ形成され、他端側に位置する熱媒貯留タンク(15)には、図６(ｂ)に示すように、下側熱媒流通口(26)(26)が２個ずつ形成されている。
【００３０】
このようにして構成されている蓄熱槽(２)は、単に熱媒を貯留するだけでなく、床下空間(12)を暖める放熱器としても利用されるようになっている。従って、蓄熱槽(２)の各熱媒貯留タンク(15)(15)…には、特別な断熱処理は施されていないが、蓄熱槽(２)からの熱が土間コンクリート(11)を伝って逃げるのを防止するために、図２に示すように、土間コンクリート(11)に敷設した断熱材(30)上に蓄熱槽(２)が設置されている。
【００３１】
また、この蓄熱槽(２)は、放熱量を調整するための断熱シート(31)で覆われている。すなわち、断熱シート(31)の厚みや素材等を適宜変更することで、蓄熱槽(２)における放熱量を調整することができるようになっている。なお、断熱シート(31)は、必ずしも設ける必要はなく、十分な放熱量を確保したい場合には廃止しても良い。
【００３２】
床暖房器(３)は、床材(10)の下側に蛇行状態で配置した放熱管(35)を備え、この放熱管(35)に高温の熱媒が流れることで、床材(10)を暖めるようになっている。
【００３３】
蓄熱用熱媒回路(４)は、一端側の熱媒貯留タンク(15)の上側熱媒流通口(25)と他端側の熱媒貯留タンク(15)の下側熱媒流通口(26)とを繋ぐ蓄熱用配管(40)を備え、この蓄熱用配管(40)に電動ポンプ(41)及び熱交換器(42)を設けることによって構成されている。
【００３４】
電動ポンプ(41)は、図示しないコントローラによって、午後１１時から翌朝午前７時までの間のみ作動するように制御されている。すなわち、深夜電力のみを利用して作動するようになっている。
【００３５】
熱交換器(42)は、蓄熱用配管(40)の熱媒とヒートポンプ(１)の冷媒との間で熱交換を行わせるもので、この熱交換器(42)において、冷媒の凝縮時の放熱を熱媒が受け取るようになっている。
【００３６】
この蓄熱用熱媒回路(４)では、電動ポンプ(41)の作動により、ヒートポンプ(１)によって加熱された高温熱媒を蓄熱槽(２)の一端側の熱媒貯留タンク(15)内へ導くとともに、他端側の熱媒貯留タンク(15)内の低温熱媒をヒートポンプ(１)へ導くようになっている。
【００３７】
暖房用熱媒回路(５)は、一端側の熱媒貯留タンク(15)の上側熱媒流通口(25)と床暖房器(３)の放熱管(35)の一端側とを繋ぐ第１暖房用配管(50)と、他端側の熱媒貯留タンク(15)の下側熱媒流通口(26)と床暖房器(３)の放熱管(35)の他端側とを繋ぐ第２暖房用配管(51)とを備え、第１暖房用配管(50)に電動ポンプ(52)を設けることによって構成されている。なお、電動ポンプ(52)は、図示しない操作パネル等を操作することで、常時作動するように制御されている。
【００３８】
この暖房用熱媒回路(５)では、電動ポンプ(52)の作動により、一端側の熱媒貯留タンク(15)内の高温熱媒を床暖房器(３)に導くとともに、床暖房器(３)からの低温熱媒を他端側の熱媒貯留タンク(15)内に導くようになっている。
【００３９】
次に、上記構成の蓄熱式床暖房システムの動作について説明する。まず、午後１１時から翌朝午前７時までの間の深夜電力利用時間帯において、ヒートポンプ(１)が作動するとともに、蓄熱用熱媒回路(４)の電動ポンプ(41)が作動する。これにより、蓄熱槽(２)の他端側の熱媒貯留タンク(15)において、その下側熱媒流通口(26)から低温熱媒が順次流出し、この流出した低温熱媒が蓄熱用配管(40)を通って熱交換器(42)に導かれ、ヒートポンプ(１)により加熱されて高温となる。
【００４０】
この高温熱媒は、蓄熱用配管(40)を通って一端側の熱媒貯留タンク(15)へ順次導かれ、その上側熱媒流通口(25)から上側貯留空間(20)に順次流入する。そして、上側貯留空間(20)を満たした高温熱媒は、隙間(24)を通って下側貯留空間(21)に順次流れ込み、一端側の熱媒貯留タンク(15)全体が高温熱媒で満たされる。
【００４１】
一端側の熱媒貯留タンク(15)全体が高温熱媒で満たされると、その下側熱媒流通口(26)から高温熱媒が順次流出する。流出した高温熱媒は、熱媒流通用パイプ(16)を通って隣の熱媒貯留タンク(15)へ導かれ、その上側熱媒流通口(25)から上側貯留空間(20)に順次流れ込む。そして、上記と同様にして隣の熱媒貯留タンク(15)全体が高温熱媒で満たされると、さらにその隣の熱媒貯留タンク(15)へ高温熱媒が流れ込み、最終的には蓄熱槽(２)全体が高温熱媒で満たされる。
【００４２】
この蓄熱工程において、一端側の熱媒貯留タンク(15)内の熱媒と他端側の熱媒貯留タンク(15)内の熱媒との間で温度差が生じている。すなわち、一端側の熱媒貯留タンク(15)内の熱媒ほど高温となっている。また、各熱媒貯留タンク(15)においても、その上側貯留空間(20)に貯留する熱媒と下側貯留空間(21)に貯留する熱媒との間で温度差が生じている。すなわち、上側貯留空間(20)に貯留する熱媒ほど高温となっている。従って、他端側の熱媒貯留タンク(15)の下側熱媒流通口(26)から流出する熱媒が最も低温となっており、この最も低温の熱媒を熱交換器(42)に順次導くようにして、ヒートポンプ(１)によって加熱することで、熱交換効率を良好に確保している。
【００４３】
なお、図５及び図６に示す仕切板(22)を設けていない熱媒貯留タンク(15)を使用している場合でも、上記と同様に他端側の熱媒貯留タンク(15)から低温熱媒が順次流出するとともに、一端側の熱媒貯留タンク(15)へ高温熱媒が順次流入して、一端側の熱媒貯留タンク(15)から他端側の熱媒貯留タンク(15)へ向けて高温熱媒が順次満たされる。
【００４４】
高温熱媒で満たされた蓄熱槽(２)の各熱媒貯留タンク(15)(15)…は放熱器として機能し、その放熱によって床下空間(12)を適度に暖めて、室内の冷え込みを防ぐ。
【００４５】
次に、操作パネルを操作して、暖房用熱媒回路(５)の電動ポンプ(52)を作動させると、一端側の熱媒貯留タンク(15)の上側貯留空間(20)に貯留している最も高温の熱媒から順に、上側熱媒流通口(25)から流出する。そして、この流出した高温熱媒が第１暖房用配管(50)を通って床暖房器(３)に導かれ、その放熱管(35)を通ることで放熱して床材(10)を暖める。放熱して低温となった熱媒は、第２暖房用配管(51)を通って他端側の熱媒貯留タンク(15)に順次導かれ、その下側熱媒流通口(26)から下側貯留空間(21)に順次流入する。
【００４６】
すなわち、高温の熱媒から順に床暖房に使用することができ、また床暖房に使用した後の低温の熱媒が、他端側の熱媒貯留タンク(15)の下側貯留空間(21)に順次流入しても、熱媒貯留タンク(15)(15)…が直列に連結され、しかも各熱媒貯留タンク(15)において上側貯留空間(20)と下側貯留空間(21)に分かれていることから、その低温の熱媒が高温の熱媒と混ざり合い難く、このため高温の熱媒を常に床暖房に使用して、床暖房効率を高めることができる。
【００４７】
この暖房用熱媒回路(５)において熱媒を流動させる床暖房工程は、蓄熱用熱媒回路(４)と暖房用熱媒回路(５)とがそれぞれ分離した別系統配管となっていることから、蓄熱用熱媒回路(４)において熱媒を流動させる蓄熱工程中においても実行可能である。従って、蓄熱槽(２)の放熱によるベース暖房だけでは物足りない寒い夜等には、両工程を同時に行うようにすれば良い。
【００４８】
なお、この発明は、上記実施形態に限定されるものではなく、例えば図７に示すように、蓄熱用熱媒回路(４)と暖房用熱媒回路(５)とを三方弁(60)(60)によって切り換えるようにしても良い。すなわち、一端側及び他端側の熱媒貯留タンク(15)(15)において、上下の熱媒流通口(25)(26)を１個ずつ形成して、一端側の熱媒貯留タンク(15)の上側熱媒流通口(25)及び他端側の熱媒貯留タンク(15)の下側熱媒流通口(26)に蓄熱・暖房共用配管(61)(61)をそれぞれ接続し、これら共用配管(61)(61)を三方弁(60)(60)を介して分岐させて、その一方を蓄熱用配管(62)とし、他方を第１及び第２暖房用配管(63)(64)としている。
【００４９】
また、上記実施形態においては、複数の熱媒貯留タンク(15)(15)…を連結することで蓄熱槽(２)を構成していたが、図８に示すように、横長の単一の熱媒貯留タンク(65)を使用して蓄熱槽を構成しても良い。
【図面の簡単な説明】
【００５０】
【図１】この発明の一実施形態に係る蓄熱式床暖房システムの構成図である。
【図２】蓄熱槽の設置状態を示す図である。
【図３】熱媒貯留タンクの斜視図である。
【図４】一端側及び他端側の熱媒貯留タンクの斜視図である。
【図５】別の熱媒貯留タンクの斜視図である。
【図６】一端側及び他端側の熱媒貯留タンクの斜視図である。
【図７】他の実施形態に係る蓄熱式床暖房システムの構成図である。
【図８】別の実施形態に係る蓄熱式床暖房システムの構成図である。
【符号の説明】
【００５１】
(１)  ヒートポンプ
(２)  蓄熱槽
(３)  床暖房器
(４)  蓄熱用熱媒回路
(５)  暖房用熱媒回路
(11)  土間コンクリート
(12)  床下空間
(15)  熱媒貯留タンク
(16)  熱媒流通用パイプ
(25)(26)  熱媒流通口
(30)  断熱材
(31)  断熱シート
【図１】
2005055130.tif 000003
【図２】
2005055130.tif 000004
【図３】
2005055130.tif 000005
【図４】
2005055130.tif 000006
【図５】
2005055130.tif 000007
【図６】
2005055130.tif 000008
【図７】
2005055130.tif 000009
【図８】
2005055130.tif 000010